(57)【要約】【課題】  緊急呼出しあるいは商用の呼出し等に際して、相手との通話が成立しない場合、その間、呼出しの目的に関連する情報が得られる携帯端末を提供する。【解決手段】  予め情報記憶部１３０に記憶している選局情報表に登録されている電話番号を呼び出しても、相手と通話できる状態にならないとき、制御部２００は選局情報表のその電話番号に対応して登録されている選局情報に基づいて放送を受信するように放送受信部１７０に指示する。また、通信接続が不可の応答があった場合は、呼出しのリトライを所定回数まで行う。【選択図】  図１
2005198058.tif 000002
【特許請求の範囲】
【請求項１】
通話を行う機能と放送を受信する機能とを有する携帯端末であって、
電話番号と放送の選局情報とを対応させて記憶している記憶手段と、
前記記憶手段で記憶している電話番号宛に発信要求を行なったとき、通話が成立したか否かを判定する判定手段と、
通話が成立していないと判定されたとき、前記記憶手段を検索して前記発信要求に使用した電話番号に対応して記憶されている選局情報を抽出する抽出手段と、
抽出した選局情報を用いて放送を受信し出力する放送受信手段とを備えることを特徴とする携帯端末。
【請求項２】
前記判定手段は、発信要求に対する応答が、通信接続が不可であることを示す第１応答と、待ての指示を示す第２応答とのいずれかであるとき、前記発信要求に対する通話が成立していないと判定することを特徴とする請求項１記載の携帯端末。
【請求項３】
前記発信要求に対する応答が第１応答であるとき、前記放送受信手段による放送受信している間、第１応答から所定の時間間隔で前記発信要求と同一の接続先へ発信要求して、前記相手先へ接続される迄又は所定の回数迄繰り返す再発信手段を更に備えることを特徴とする請求項２記載の携帯端末。
【請求項４】
前記判定手段は、更に、
第２応答が音声メッセージであり、当該音声メッセージが待ての指示であるかどうかを判定する音声判定部を有することを特徴とする請求項２記載の携帯端末。
【請求項５】
放送電波の強度を検知する強度検知手段を更に備え、
前記放送受信手段は、選局した放送での前記強度検知手段で検知した強度が所定値未満の場合、前記抽出手段により抽出された選局情報が複数ある場合には、所定値以上の強度の受信が得られるまで、抽出順に選局情報の放送の選局を行う選局制御部を有することを特徴とする請求項１記載の携帯端末。
【請求項６】
前記放送受信手段は、更に、
放送を受信した後、前記判定手段により前記発信要求に対する通話が成立したと判定されたとき、放送の受信を終了する放送受信終了部を有することを特徴とする請求項１記載の携帯端末。
【請求項７】
前記発信要求は、警察又は消防に対する緊急の発信要求であることを特徴とする請求項１記載の携帯端末。
【発明の詳細な説明】
【技術分野】
【０００１】
本発明は、携帯端末に関し、特に通話機能と放送受信機能を有する携帯端末の技術に関する。
【背景技術】
【０００２】
事故や火災などの警報を通知する制度の充実が国、自治体あるいは地域で求められ推進されている。その一環として集合住宅の住民への警報に係る技術が開示されている（特許文献１）。上記のような緊急事態の警報手段としては、公共または商用の放送も大きな役割を担っている。
最近の携帯端末は、インタネットを通じたデータ通信はもとより、電話の機能、さらには放送、例えばディジタルあるいはアナログのテレビ放送を受信する機能、AMあるいはFMなどのラジオ放送を受信する機能などを統合した通信機器に発展しつつある。従ってその所有者は、通報による情報の提供と、放送による通報関連の情報の収集とを行うことができる。
【特許文献１】特開平７―３３１４２８号公報
【発明の開示】
【発明が解決しようとする課題】
【０００３】
しかし、大規模の事故などが発生すると、１１０番の警察(米国では９１１番)および１１９番の消防などの電話が繋がり難くなることがよくある。またこのような緊急通報に限らず、公共または商用の情報提供サービスおよび予約サービス等の電話受付を呼び出しても、通信回線が過負荷等のために接続不可の応答が返ってきたときは、再度かけ直さなければならない。また、先方に接続されても「そのまま、お待ちください」の様な音声メッセージが返ってきたときは、相手が応答する迄待たされることになる。
【０００４】
本発明は、上記の点に鑑み、緊急呼出しあるいは商用の呼出し等に際して、相手との通話が成立しない場合、その間、呼出しの目的に関連する情報が得られる携帯端末を提供することを目的とする。
【課題を解決するための手段】
【０００５】
上記課題を解決するために本発明の携帯端末は、通話を行う機能と放送を受信する機能とを有する携帯端末であって、電話番号と放送の選局情報とを対応させて記憶している記憶手段と、前記記憶手段で記憶している電話番号宛に発信要求を行なったとき、通話が成立したか否かを判定する判定手段と、通話が成立していないと判定されたとき、前記記憶手段を検索して前記発信要求に使用した電話番号に対応して記憶されている選局情報を抽出する抽出手段と、抽出した選局情報を用いて放送を受信し出力する放送受信手段とを備えることとしている。
【発明の効果】
【０００６】
上記構成により、予め記憶手段に記憶している電話番号を呼び出しても相手と通話できる状態にならないとき、その電話番号とその電話番号に関係する選局情報とが対応付けられて記憶手段に登録されていれば、その電話番号に関係する選局情報に基づいて放送を受信できるので、その放送を通じて必要とする情報が得られる。
また、前記判定手段は、発信要求に対する応答が、通信接続が不可であることを示す第１応答と、待ての指示を示す第２応答とのいずれかであるとき、前記発信要求に対する通話が成立していないと判定することとしている。
【０００７】
これにより、呼び出し先への通信接続が不可のとき、あるいは通信網あるいは呼び出し先からの応答があったけれども「待て」の指示を示す音声メッセージのとき、その電話番号に関係する選局情報に基づいて放送を受信できるので、その放送を通じて必要とする情報が得られる。
また、前記発信要求に対する応答が第１応答であるとき、前記放送受信手段による放送受信している間、第１応答から所定の時間間隔で前記発信要求と同一の接続先へ発信要求して、前記相手先へ接続される迄又は所定の回数迄繰り返す再発信手段を更に備えることとしている。
【０００８】
これにより、呼び出し先への通信接続が不可のとき、相手先に接続できるまで一定時間間隔で再呼び出しを行うので、ユーザはリダイアルの手間が省け、その電話番号に関係する選局情報に基づいて放送を受信できるので、その放送を通じて必要とする情報が得られる。
また、前記判定手段は、更に、第２応答が音声メッセージであり、当該音声メッセージが待ての指示であるかどうかを判定する音声判定部を有することとしている。
【０００９】
これにより、呼び出しに対する応答が待ての指示であるときは、相手と通話が成立するまで、その電話番号に関係する選局情報に基づいて放送を受信できるので、その放送を通じて必要とする情報が得られる。
また、放送電波の強度を検知する強度検知手段を更に備え、前記放送受信手段は、選局した放送での前記強度検知手段で検知した強度が所定値未満の場合、前記抽出手段により抽出された選局情報が複数ある場合には、所定値以上の強度の受信が得られるまで、抽出順に選局情報の放送の選局を行う選局制御部を有することとしている。
【００１０】
これにより、予め記憶手段に記憶している電話番号に対応した選局情報が複数あるとき、最初の選局情報で指定された放送の電波が弱く、その為視聴しにくいときでも、他の選局情報のうち視聴できる放送の選局によって、必要とする情報が得られる。
また、前記放送受信手段は、更に、放送を受信した後、前記判定手段により前記発信要求に対する通話が成立したと判定されたとき、放送の受信を終了する放送受信終了部を有する。
【００１１】
これにより、相手先と通話が成立すれば、放送受信が終了するので、放送に邪魔されず、通話に専念できる。
また、前記発信要求は、警察又は消防に対する緊急の発信要求であることとしている。
これにより、例えば事件、事故、地震等があっても、通報あるいは問い合わせができる状態になるまでは、電話番号に関係する選局情報に基づいて放送を受信できるので、その電話番号の受付に関係した内容の放送を通じて、最新の状況を知ることができる。
【発明を実施するための最良の形態】
【００１２】
以下、本発明に係る携帯端末である携帯電話機の一実施の形態について図面を用いて説明する。
（一実施の形態）
図１は、本実施の形態の携帯端末である携帯電話機の構成図である。この携帯電話機は、無線部１０１、通信部１１０、音声処理部１２０、マイク１２１、スピーカ１２２、音声判定部１２５、情報記憶部１３０、操作部１５０、表示部１６０、放送受信部１７０、選局情報登録部１８０、制御部２００から構成される。
【００１３】
図２は、本実施の形態の携帯端末としての折り畳み式携帯電話を開いたときの、正面の外観の例を示す図である。図２の各符合は、図１において対応する構成部があればその符号と同じである。
無線部１０１は、不図示の通信基地局から、着信要求および通話相手の音声、あるいはテレビジョン放送およびラジオ放送等の放送の電波を受け取り、音声は通信部１１０に、放送は放送受信部１７０に伝達する。また、逆に通信部１１０から受け取った発信要求および当携帯電話機の話者の音声等の変調信号を通信基地局に送る。
【００１４】
通信部１１０は、無線部１０１から受け取った電波の変調信号を、通話相手の声等の信号に復調し、音声は音声処理部１２０に出力する。また逆に、当電話機の話者の音声等の変調信号を無線部１０１に伝達する。
通信部１１０は、ユーザが電話呼出しのための操作、つまり電話番号を数字ボタンで押下した後、オフフックボタン１５３を押下の操作を行なうと、その電話番号への発信処理として、発信要求の信号を生成し、無線部１０１に伝達するとともに、制御部２００に対してユーザ操作によりその電話番号へ発信した旨を通知する。また、発信要求に対する基地局からの応答信号を無線部１０１を介して受け取り、制御部２００に伝達する。
【００１５】
通信部１１０は、また、制御部２００から、後述の再呼出しの指示があれば、当該電話番号の発信要求を行ない、その旨を制御部２００に通知する。
音声処理部１２０は、マイク１２１から受け取った当携帯電話機の話者の音声を通信部１１０に伝達する。また、通信部１１０から受け取った信号をスピーカ１２２に出力するとともに、受け取った信号が音声信号の場合、制御部２００から音声判定の指示を受けているときは、音声判定部１２５にその音声を伝達し、音声判定部１２５から判定結果を受け取り、制御部２００に通知する。
【００１６】
音声判定部１２５は、音声処理部１２０から送られてきた音声メッセージが、「待て」の指示であるWaitメッセージであるかどうかの判定を行い、その判定結果を音声処理部１２０に通知する。
図３は、音声メッセージがWait（待て）に該当するかどうかの定型文２つとその音声波形を示す。これらの定型文の波形に関する情報は音声判定部１２５に内部的に記憶されている。定型文波形３０１は「そのまま」の音声波形であり、定型文波形３０２は「お待ちください」の音声波形である。更に、「少々お待ちください」「しばらくお待ちください」等を追加してもよい。
【００１７】
音声判定部１２５は、これらの定型文の波形そのものを記憶しているのではなく、音声解析におけるそれぞれの特徴をそれぞれ標準特徴量として算出して内部的に記憶している。音声処理部１２０から送られてきた音声メッセージの部分の波形の特徴量と、これらの定型文の波形の標準特徴量とが一致するかどうかチェックし、所定の一致度を示す場合、当該音声メッセージはWaitのメッセージであると判定する。
【００１８】
情報記憶部１３０は、RAM（Random Access Memory）およびROM（Read Only Memory）で実現され、発信に対して応答がないときに放送を受信する際の選局情報を記憶している。
図４は、選局情報を納めた選局情報表の例を示す。選局情報表４０１には、電話番号４１１、電話備考４１２、放送種類４１３、選局値４１４、単位４１５、選局備考４１６の登録項目がある。選局情報表４０１の選局情報は、選局情報登録部１８０によって登録、参照される。
【００１９】
電話番号４１１は、発信先の電話番号である。電話備考４１２は、この電話番号４１１の相手先の名前などを記載したものである。放送種類４１３は、受信する放送の種類を指定するものであり、例えばテレビジョン放送（地上放送と衛星放送、アナログ放送とディジタル放送を含む）とラジオ放送（中波、短波、FM、FM文字の各放送を含む）とがある。
選局値はチャネル番号、あるいは周波数を指定する。チャネル番号は、放送受信部１７０で設定されているものを指定する。単位４１５は、選局値がチャネルの場合はチャネル（CH）を、周波数の場合はMHｚまたはKHzを指定する。選局備考４１６は、選局名など備考を記す。
【００２０】
ユーザは一つの電話番号に対して1つ以上の選局情報を指定できる。選局情報表４０１では、電話番号１１０に対して３つの選局情報が登録順に記載されている。なお、登録できる電話番号及び選局情報の数は特に制限がない。
操作部１５０は、ユーザによる操作を受付ける各種ボタンから成る。ユーザによる操作には、電話の発信と受信、選局情報表４０１の登録と参照等がある。図２の下部は、操作部１５０における各種ボタンの配置を示している。操作部１５０のボタンには、メニュボタン１５１、オンフックボタン１５３、オフフックボタン１５４、決定ボタン１５５、上ボタン１５６、下ボタン１５７、左ボタン１５８、右ボタン１５９、及び各種の数字、文字等のボタンがある。
【００２１】
操作部１５０は、通話に関するオンフックボタン１５３、オフフックボタン１５４の押下があれば、通信部１１０に通知する。また、メニュボタン１５１の押下があるとき、制御部２００に通知し、選局情報の登録または参照のときに、登録のためのボタン操作があれば、選局情報登録部１８０に通知する。
表示部１６０は、例えば液晶パネルで実現され、選局情報表４０１の登録及び参照の際の情報の表示、メニュの表示、FM文字放送等での文字の表示、テレビモードでの画面表示等に使用される。
【００２２】
放送受信部１７０は、ユーザによる操作部１５０の操作、または制御部２００からの指示により、ラジオまたはテレビの放送受信を開始または終了する。放送受信部１７０は、制御部２００から放送の受信開始の指示とともに、ラジオまたはテレビのいずれかの放送種類と、周波数またはチャネル番号（例えばアナログ放送の場合VHF、UHF、SHFの各割当チャネル番号）とで示される選局情報を受け取り、選局する。
【００２３】
また、放送受信部１７０は、選局した放送波の強度として電界強度を検出し、制御部２００に通知する。
選局情報登録部１８０は、ユーザの操作に基づき、警察、消防等を含む呼出し先の電話番号と、その呼出し先のサービスに関係した放送の選局情報とを対応させた選局情報を情報記憶部１３０の選局情報表４０１に登録し、またその参照を行う。
【００２４】
図５は、選局情報の操作を含む各種操作において使用する放送メニュを示す。放送メニュ５０１は、制御部２００によって表示部１６０に表示され、ユーザが選局情報の登録のため、操作部１５０の数字１のボタンと決定ボタン１５５を押すと、選局情報登録部１８０が制御部２００によって起動される。
起動された選局情報登録部１８０は、選局情報表４０１を読み出し、電話番号４１１と電話備考４１２とを一行として、表示部１６０に選局情報のサマリを表示する。
【００２５】
図６は、選局情報サマリの表示例を示す。選局情報サマリ６０１は、選局情報表４０１に登録済みの電話番号が３つあることを示している。
選局情報サマリ６０１が表示されているとき、ユーザによって項目４の＜未登録＞が、数字４のボタンと決定ボタン１５５の押下により選択されると、選局情報登録部１８０は、選局情報の追加登録の処理を行う。
【００２６】
図７は、追加登録のときに選局情報登録部１８０が表示する選局情報の登録の画面の例である。この選局情報登録参照画面７０１では、ユーザによって電話番号および電話備考と、その電話番号に対応する一つ目の選局情報の各項目が入力される。入力項目の選択は、上ボタン１５６と下ボタン１５６とを使用する。文字、数字の入力項目では、文字ボタン、数字ボタンによって入力し、放送種類、選局方法、周波数単位の選択ボックスの指定では、左ボタン１５８と右ボタン１５９に続いて決定ボタン１５５を使用する。入力が完了したら、ユーザはもう一度決定ボタン１５５を押下する。
【００２７】
選局情報登録部１８０は、この新規の電話番号に関する情報を、選局情報表４０１に追加するとともに、当該電話番号の選局情報一覧を表示する。
図８は、特定の電話番号に関する選局情報一覧８０１の表示例である。ここで登録番号は、電話番号の登録順番を指す。ユーザは、この電話番号に関して、更に二つ目の選局情報を選局情報２として追加することもできる。追加の為には、上ボタン１５６と下ボタン１５６とで選局情報２を選択し、決定ボタン１５５を押下する。選局情報登録部１８０は、選局情報登録参照画面７０１において選局情報１に代わって選局情報２の入力項目が表示される（不図示）ので、ユーザは選局情報１と同様に入力、追加の操作を行えばよい。
【００２８】
また、選局情報登録参照画面７０１で選局情報の追加がなければ、決定ボタン１５５の押下により、最新の選局情報の一覧が表示される。
図９は、選局情報表４０１に対して、４つ目の電話番号を追加したときの選局情報表９０１を示す。
また図１０は、選局情報表９０１の選局情報サマリ１００１を示す。
【００２９】
選局情報サマリ表示１００１から、特定の電話番号を参照したければ、ユーザはその電話番号の行を選択して、決定ボタン１５５を押下すればよい。選局情報登録部１８０は、その電話番号の選局情報一覧８０１を表示する。
選局情報一覧８０１表示中に選局情報を修正したければ、修正したい選局情報を選択し、決定ボタン１５５を押下する。選局情報登録部１８０は、選局情報登録参照画面７０１と同様な登録済みの画面を表示する。ユーザは新規登録のときと同様な操作により、所望の選局情報の登録項目の修正が行える。また、選局情報一覧８０１表示中に、選局情報を追加したいときは、未登録の選局情報の項目を選択して追加を行う。
【００３０】
また、選局情報一覧８０１の表示中に選局情報を削除したいときは、選局項目を選択し、文字の＃ボタンに続けてDボタンを押下する。選局情報登録部１８０は、その指定された選局情報を選局表９０１から削除し、その削除の結果、当該電話番号の選局情報がなくなれば、当該電話番号の情報も消去する。
制御部２００は、放送受信の制御と、放送メニュの処理とを行う。
【００３１】
先ず、放送受信の制御について述べる。
ユーザによりある電話番号宛に呼出しが行われると、通信部１１０から制御部２００に対して、その電話番号にユーザによる発信要求を行っている旨の通知が行われる。
制御部２００は、その通知を受け取り、電話番号が選局情報表９０１に登録されているかどうか検索する。その電話番号が登録されていなければ、以下の放送受信の制御は行わない。
【００３２】
その電話番号が登録されていれば、音声処理部１２０に対し、発信要求に対して音声メッセージの応答があった場合、それがWait（待て）の音声メッセージかどうかの判定をするように指示する通知を予め行っておく。
呼出しに対する応答があると、制御部２００は通信部１１０から応答信号を受け取る。
制御部２００は、その信号が通信接続が不可であることを示すBusy信号かどうかチェックし、Busy 信号なら通話が成立していないとみなす。
【００３３】
また、応答信号が音声メッセージであるとき、音声処理部１２０からそれがWaitの音声メッセージかどうかの判定が通知されるので、その通知を受け取る。判定がWaitのとき、通話が成立していないとみなす。
制御部２００は、選局情報表９０１に登録された電話番号への呼び出しである発信要求に関して、応答がBusyまたはWaitの理由により通話が成立していないとみなしたとき、放送受信部１７０に対し、選局情報表９０１に登録された電話番号に対応して登録されている選局情報に基づいて放送を受信するように制御する。
【００３４】
なお、制御部２００は、呼出し中の信号は応答の信号とはみなさない。
図１１は、携帯電話での呼出しと放送受信のための環境の例を示す。
呼出し先、例えば図１１で交通情報センタ１１０３と通話が成立していないとみなしたとき、制御部２００は、発信先の電話番号が選局情報表９０１に登録されていれば、その電話番号の選局情報をすべて抽出する。そして、放送受信部１７０を起動し、一つ目の選局情報で指定された放送種類の放送モード、つまりテレビモードまたはラジオモードの設定と、放送局１１０４からの指定された周波数またはチャネルの放送の選局とを行うように指示する。
【００３５】
図１２は、選局情報表９０１に登録されている道路公社の交通情報センタに係る選局情報の放送を受信し、表示している例を示す。
放送受信の指示後に、放送受信部１７０から選局周波数の電波の強度である電界強度の通知が行われるので、制御部２００はそれを受け取る。受け取った電界強度が所定値未満、例えば２５μV/m未満であった場合、電波の強度が弱いとみなし、当該電話番号の選局情報が複数あるとき、放送受信部１７０に次の選局情報の選局を指示する。電界強度が所定値未満であれば、同様な処理を当該電話番号に関する最後の選局情報まで繰り返し、いずれも所定値未満であれば、放送受信部１７０に受信を終了するように指示する。
【００３６】
呼び出しに対する応答がＢｕｓｙの場合、放送の受信の制御に加えて、応答の判定から一定の時間後、例えば３０秒の後、通信部１１０に指示して再び当該電話番号を呼び出す。
再呼出しに対する応答がやはりＢｕｓｙの場合、同様な再呼出し（リトライ）の処理を、応答がBusyである限り所定の回数、例えば５回繰り返す。ここで再呼び出しの時間と回数は、制御部２００が内部記憶に保持しており、ユーザが任意に設定できる。
【００３７】
また、応答がＷａｉｔの場合であってその後呼出し先相手と通話が成立したとき、またはＢｕｓｙの場合であって再呼出しで呼出し先相手と通話が成立したとき、放送を受信中であれば、放送受信部１７０に対して放送受信を終了するように指示し、ユーザが相手との通話に専念できるようにする。
次に、制御部２００が行う放送メニュの処理について述べる。
【００３８】
制御部２００は、ユーザがメニュボタン１５１を押下したとき、放送メニュ５０１を表示する。ユーザは放送メニュ５０１により、選局情報の登録と参照ができ、テレビまたはラジオのモードの設定等が手動でできる。
放送メニュ５０１で、１の数字ボタンと決定ボタン１５５の押下により選局情報の項目が指定されると、制御部２００は選局情報登録部１８０を起動し、既に述べたように選局情報登録部１８０による登録処理を行う。
【００３９】
図１３および図１４は、電話番号発信から放送の受信と終了にいたる携帯端末の自動放送受信の動作を示すフローチャートの前半部および後半部を示す。図１３、図１４を用いて、上記動作について説明する。
先ず、ユーザによってある電話番号の呼出しが操作部１５０の操作により行なわれる（Ｓ１０）。通信部１１０は、当該電話番号への呼び出しである発信要求の信号を、無線部１０１を介して基地局（不図示）に送信する（Ｓ２０）。また、当該電話番号への発信をしたことを制御部２００に通知する。通知を受け取った制御部２００は、この電話番号への発信がユーザによる発信かどうかチェックし（Ｓ３０）、そうなら新規の発信なのでリトライ回数（カウンタ）を０クリアする（Ｓ４０）。
【００４０】
制御部２００は、また、当該電話番号が選局情報票９０１に登録されているか検索し（Ｓ５０）、登録されていなければ、放送の受信等は必要がないので処理を終了する。次に、制御部２００は、当該電話番号の発信要求に対する応答が通信部１１０から通知されれば、先ずその応答がBusyかチェックする（Ｓ６０）。
応答がBusy の場合、発信要求の現リトライ回数が制限回数になっているかチェックする（Ｓ７０）。制限数に達していればリトライ回数オーバであり、S２８０に移行する。また制限数に達していなければ、次のリトライを行う時刻までの時間をタイムアウト設定し（Ｓ８０）、S１５０の処理に移行する。
【００４１】
Ｓ６０で応答がBusyではないとき、更に、Waitのメッセージかどうかのチェックのため（Ｓ９０）、音声判定部１２５からの判定を音声処理部１２０を介して受け取り、Wait のメッセージのときはS１５０へ移行する。Waitのメッセージではないときは、相手と通話が成立したとみなし、通話を開始し（S１２０）、S２８０に移行する。
応答がBusy またはWaitのとき、制御部２００は放送を選局済みであるかチェックし（S１５０）、まだ選局していなければ、当該電話番号に係る選局情報を選局情報表９０１からすべて抽出する（S１６０）。そして、最初の選局情報を当該選局情報とする。
【００４２】
制御部２００は、当該選局情報を放送受信部１７０に通知し、その選局を行なうように指示する。放送受信部１７０は通知された選局情報の選局を行ない（S１７０）、選局周波数の電界強度を制御部２００に通知する。制御部２００は、電界強度が所定値以上かチェックし（S１８０）、所定値未満なら、次の選局情報があれば（S１９０）、それを当該選局情報として、S１７０へ移行する。また、次の選局情報がなければ、放送受信はとり止める（S２００）
放送を選局済み、または電界強度が良好であれば、発信要求のリトライのためのタイムアウトが設定中であるかチェックし（S２1０）、設定中であればタイムアウトになるまで待ち（S２２０）、タイムアウトになればリトライ回数を１加算し（S２３０）、再発信の処理のためS２０に移行する。
【００４３】
また、タイムアウトが設定中でなければ、応答がWaitの場合であるかチェックし（S２５０）、そうなら相手との通話が成立するまで待ち（S２６０）、通話が成立すればS１２０の処理に移行する。
最後に、制御部２００は、放送を受信中なら放送受信部１７０に放送受信を終了するように通知し、自動放送受信処理を終了する。
【００４４】
以上、本発明を上記の実施の形態に基づいて説明してきたが、本発明は、上記の実施の形態に限定されないのは勿論である。以下のような場合も本発明に含まれる。
本発明は、実施の形態では携帯電話機として説明したが、通話機能と放送受信機能を有する携帯端末であれば適用できる。例えばPDA（Personal Data Assistant）に適用してもよいのは勿論である。
【００４５】
実施の形態では応答の音声メッセージがWaitかどうかを、パターン認識で利用されている特徴量の比較により判定したが、音声メッセージを文字変換し、Waitの定型文を含むかどうかで判定するようにしてもよい。また定型文だけによる判定ではなくて、意味解析も行なって、Waitであるかどうかの判定の確度を更に向上させるようにしてもよいのは勿論である。
【００４６】
また、電波の強度として電界強度を用いたが、これに限られないのは勿論であり、また電波が弱いかどうかの基準となる電界強度の所定値が可変であるのは勿論である。
本発明の方法を、コンピュータシステムを用いて実現するためのコンピュータプログラムであるとしてもよいし、前記プログラムを表すデジタル信号であるとしてもよい。
また、本発明は、前記プログラム又は前記デジタル信号を記録したコンピュータ読取り可能な記録媒体、例えば半導体メモリ等であるとしてもよい。
【００４７】
また、本発明は、電気通信回線、無線又は有線通信回線、若しくはインターネットに代表されるネットワーク等を経由して伝送される前記コンピュータプログラム又は前記デジタル信号であるとしてもよい。
【産業上の利用可能性】
【００４８】
本発明に係る携帯端末は情報通信分野で活用される。
【図面の簡単な説明】
【００４９】
【図１】本発明に係る携帯端末の携帯電話機の一実施の形態の構成図である。
【図２】上記実施の形態の携帯電話機の正面の概観を示す図である。
【図３】上記実施の形態のWait判定定型文の音声波形図である。
【図４】上記実施の形態の選局情報表の例を示す図である
【図５】上記実施の形態のメニュの例を示す図である。
【図６】上記実施の形態の選局情報サマリの例を示す図である
【図７】上記実施の形態の選局情報の登録参照画面の例を示す図である
【図８】上記実施の形態の指定電話番号の選局情報一覧の例を示す図である。
【図９】図４の選局情報表への1件追加後の例を示す図である
【図１０】図９の選局情報表の選局情報サマリを示す図である。
【図１１】上記実施の形態の携帯電話機での呼出しと放送受信のための環境の例を示す図である
【図１２】上記実施の形態の選局情報に基づく選局の受信の例を示す図である。
【図１３】上記実施の形態の動作を示すフローチャート前半部である。
【図１４】上記実施の形態の動作を示すフローチャート後半部である。
【符号の説明】
【００５０】
１０１  無線部
１１０  通信部
１２０  音声処理部
１２１  マイク（送話部）
１２２  スピーカ（受話部）
１３０  情報記憶部
１５０  操作部
１５１  メニュボタン
１５３  オフフックボタン
１５４  オンフックボタン
１５５  決定ボタン
１５６  上ボタン
１５７  下ボタン
１５８  左ボタン
１５９  右ボタン
１６０  表示部
１７０  放送受信部
１８０  選局情報登録部
２００  制御部
３０１  定型文波形（１）
３０２  定型文波形（２）
４０１  選局情報表
５０１  放送メニュ
６０１  選局情報サマリ
７０１  選局情報登録参照画面
８０１  選局情報一覧
９０１  選局情報表（追加後）
１００１  選局情報サマリ（追加後）
１１０１  発信要求
１１０２  通信網
１１０３  発信要求先
１１０４  放送局
１１０５  放送電波
【図１】
2005198058.tif 000003
【図２】
2005198058.tif 000004
【図３】
2005198058.tif 000005
【図４】
2005198058.tif 000006
【図５】
2005198058.tif 000007
【図６】
2005198058.tif 000008
【図７】
2005198058.tif 000009
【図８】
2005198058.tif 000010
【図９】
2005198058.tif 000011
【図１０】
2005198058.tif 000012
【図１１】
2005198058.tif 000013
【図１２】
2005198058.tif 000014
【図１３】
2005198058.tif 000015
【図１４】
2005198058.tif 000016